(57)【要約】      （修正有）【課題】携帯が容易であり、かつ、現場において容易に画像を確認することができる撮影装置を提供する。【解決手段】プローブ２と撮影装置本体１１を有する撮影装置１であって、撮影装置本体１１は、使用者の片手で保持可能な薄板形状に形成されており、撮影装置本体１１の先端側にプローブ２と撮影装置本体１１を接続する接続手段としてのケーブル４が接続され、撮影装置本体１１の側面部あるいは主面に撮影装置１の動作を制御するための操作手段としての押圧式のスイッチ２２が配置され、撮影装置１１の主面の全部又は一部は、撮影した画像を表示する表示部４０となっている。【選択図】図１
0003200668.tif 000002
【実用新案登録請求の範囲】
【請求項１】
プローブと撮影装置本体を有する撮影装置であって、
前記撮影装置本体は、使用者が片手で保持可能な薄板形状に形成されており、
前記撮影装置本体の先端側に前記プローブと前記撮影装置本体とを接続する接続手段が接続され、
前記撮影装置の側面部又は主面に前記撮影装置の動作を制御するための操作部が配置され、
前記撮影装置の主面の全部又は一部は、撮影した画像を表示する表示部となっている撮影装置。
【請求項２】
前記先端側の側面部、前記先端側の側面部と隣接あるいは連続する側面部に前記撮影装置の動作を制御するための操作部が配置されている請求項１に記載の撮影装置。
【請求項３】
前記撮影装置本体は、細長薄板形状として形成されており、平面視において、前記撮影装置本体の先端側の幅が狭くなった台形状である台形状部分と、矩形状である矩形状部分が連続的に結合した形状に形成され、
前記台形状部分の斜辺に対応し、前記撮影装置本体の先端側に位置する側面部に前記操作部が形成され、前記台形状部分の底辺に対応し、前記撮影装置本体の先端側に位置する側面部に前記接続手段が接続され、
前記撮影装置の矩形状部分の主面の面積の少なくとも２０％が前記表示部となっている請求項２に記載の撮影装置。
【請求項４】
前記矩形状部分の主面の面積の３０％以上５０％未満が前記表示部となっている請求項３に記載の撮影装置。
【請求項５】
前記矩形状部分の主面の面積の５０％以上が前記表示部となっている請求項３に記載の撮影装置。
【考案の詳細な説明】
【技術分野】
【０００１】
本考案は、撮影装置に関する。
【背景技術】
【０００２】
人が侵入できないような狭い場所の状況を確認するために、撮影装置本体に接続されたプローブをそのような場所に侵入させて画像を得る技術が提案されている（例えば、特許文献１）。
【特許文献１】特開２０１２−８２５４号公報
【考案の概要】
【考案が解決しようとする課題】
【０００３】
しかし、上述の技術においては、撮影装置本体も相当な大きさであり、画像は外部のパソコンの表示装置などに表示する必要があるから、携帯するには適さないし、その場で画像を確認することも容易ではない。
【０００４】
本考案はかかる問題の解決を試みたものであり、携帯に好適であり、現場において容易に画像を確認することができる撮影装置の提供を目的とする。
【課題を解決するための手段】
【０００５】
第一の考案は、プローブと撮影装置本体を有する撮影装置であって、前記撮影装置本体は、使用者が片手で保持可能な薄板形状に形成されており、前記撮影装置本体の先端側に前記プローブと前記撮影装置本体とを接続する接続手段が接続され、前記撮影装置の側面部又は主面に前記撮影装置の動作を制御するための操作部が配置され、前記撮影装置の主面の全部又は一部は、撮影した画像を表示する表示部となっている撮影装置である。
【０００６】
第一の考案によれば、撮影装置の使用者は、撮影装置本体を片手で保持しつつ、操作部を操作して撮影装置に撮影対象を撮影させ、かつ、主面の表示部によって、撮影した画像を確認することができる。ここで、撮影装置本体は、薄板形状であるから、携帯に好適である。
【０００７】
第二の考案は、第一の考案の構成において、前記先端側の側面部、前記先端側の側面部と隣接あるいは連続する側面部に前記撮影装置の動作を制御するための操作部が配置されている撮影装置である。
【０００８】
第二の考案によれば、操作部が側面部にあるから、薄板形状の本体部を把持しながら行う操作が容易である。
【０００９】
第三の考案は、第二の考案において、前記撮影装置本体は、細長薄板形状として形成されており、平面視において、前記撮影装置本体の先端側の幅が狭くなった台形状である台形状部分と、矩形状である矩形状部分が連続的に結合した形状に形成され、前記台形状部分の斜辺に対応し、前記撮影装置本体の先端側に位置する側面部に前記操作部が形成され、前記台形状部分の底辺に対応し、前記撮影装置本体の先端側に位置する側面部に前記接続手段が接続され、前記撮影装置の矩形状部分の主面の面積の少なくとも２０％が前記表示部となっている撮影装置である。
【００１０】
第三の考案によれば、撮影装置の使用者は、矩形状部分の主面の大きな面積を占める表示部によって、撮影した画像を確認することができる。
【００１１】
第四の考案は、第三の考案の構成において、前記矩形状部分の主面の面積の３０％以上５０％未満が前記表示部となっている撮影装置である。
【００１２】
第五の考案は、第三の考案の構成において、矩形状部分の主面の面積の５０％以上が前記表示部となっている撮影装置である
【考案の効果】
【００１３】
以上のように、本考案によれば、携帯が容易であり、かつ、現場において容易に画像を確認することができる撮影装置を提供することができる。
【図面の簡単な説明】
【００１４】
【図１】撮影装置１の斜視図等である。
【図２】撮影装置１の使用状態を示す概略図である。
【図３】撮影装置１の内部構造を示す概略図である。
【図４】撮影装置１の内部構造を示す概略図である。
【図５】撮影装置１の内部構造を示す概略図である。
【図６】撮影装置１の機能ブロック図である。
【考案を実施するための形態】
【００１５】
本考案の実施形態を、以下の実施例に従って説明する。
【００１６】
図１に示すように、撮影装置１は、撮影装置本体１１（以下、「本体１１」という。）とプローブ２とが接続手段としてのケーブル４によって接続されて撮影対象を撮影するようになっている。本体１１は、アルミニウム合金等の金属や、ＡＢＳ樹脂等のプラスチック樹脂等の材料で形成される。ケーブル４は、信号線と電源線が一体化されたケーブルである。プローブ２の先端部には、撮像装置６が形成されている。ケーブル４は、柔軟に自在に湾曲し、その湾曲した形状を維持できるようになっており、狭い場所に侵入できるようになっている。撮像装置６は、撮像素子（図示せず）と、撮像素子に光を導くためのレンズ部６ａと、レンズ部６ａを取り巻いて配置される照明部６ｂを備える。撮像素子は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）、ＣＣＤ（Ｃｈａｒｇｅ Ｃｏｕｐｌｅｄ  Ｄｅｖｉｃｅ）である。照明部６ｂは、例えば、ＬＥＤ（Ｌｉｇｈｔ  Ｅｍｉｔｔａｎｉｎｇ  Ｄｉｏｄｅ）である。プローブ２は、撮像装置６で取得した画像データをケーブル４を介して本体１１に伝送するようになっている。
【００１７】
本体１１は、細長薄板形状に形成されている。本体１１は、平面視において、本体１１の先端側の幅が狭くなった台形状である台形状部分１２と、矩形状である矩形状部分１４とが結合した形状に形成されている。台形状部分１２の斜辺に対応する側面部１２ａに本体１１の起動及び停止等を制御するための操作手段として、押圧式のスイッチ２２が形成されている。また、台形状部分１２の台形の上底に対応し、本体１１の先端側に位置する側面部１２ｂにプローブ２のケーブル４が接続されている。すなわち、ケーブル４が接続される側面部１２ｂに隣接する側面部１２ａにスイッチ２２が形成されている。なお、本実施例とは異なり、本体１１の平面視における形状は、辺と辺との接点が曲線となっていてもよい。すなわち、側面部１２ａと１２ｂの接続部、側面部１２aと側面部１ｂの接続部は曲面となっていてもよい。この場合、側面部１ｂ、１２ａ及び１２ｂは、連続する一つの側面部となる。そして、ケーブル４が接続する側面部と押圧式スイッチ２２が形成される側面部は、同一の側面部、あるいは、連続する側面部ということになる。
【００１８】
本体１１自体が、使用者が把持するための把持部となっている。そして、矩形状部分１４の主面の面積の約２５％が撮影した画像を表示する表示部４０となっている。表示部４０は、例えば、ＴＦＴ液晶表示装置（ディスプレイ）であり、保護膜４１によって覆われて、保護されている。本考案においては、矩形状部分１４の主面の面積の少なくとも約２０％以上が、撮影した画像を容易に確認できる表示部４０の大きさであり、望ましくは３０％以上５０％未満であり、より望ましくは５０％以上であるが、本実施例においては、上述のように約２５％である。なお、本実施形態とは異なり、スイッチ２２は、本体１１の主面に形成されていてもよいが、この場合、スイッチ２２は、台形状部分１２の主面に配置されるか、あるいは、矩形状部分１４において表示部４０が配置されていない主面に配置されるか、あるいは、タッチパネル等を使用して表示部４０中に配置してもよい。
【００１９】
本体１１の全体の寸法は、全体の長さＬ１が９２ｍｍ、幅Ｗ１が３７ｍｍである。矩形状部分１４の長さＬ２が６７ｍｍであり、台形状部分１２の上底の長さＷ２が１８．５ｍｍである。そして、ケーブル４の根元部分８が本体１１から突出する方向とスイッチ２２が本体１１から突出する方向とは所定の角度θ１（図２参照）を有するように形成されている。本考案の考案者は、試行錯誤による実験的検討を経て、人間工学的観点から好適なθ１の角度に想到した。θ１の好適な角度は１０度＜θ１＜８０度であり、より好ましくは、２０度＜θ１＜７０度であり、さらに好ましくは、３０度＜θ１＜５０度であり、一層好ましくは、３５度＜θ１＜４５度である。本実施例においては、θ１は３７．５度である。なお、矩形状部分１２の斜辺１２ｃと矩形状部分１４の長さ方向の辺１４ａとの角度θ２は、θ２＝１８０度−θ１であり、本実施例においては、１４２．５度である。なお、本実施例とは異なり、本体１１全体を平面視で矩形状に形成する場合には、θ１＝０度又は９０度であってもよい。
【００２０】
図２に示すように、本体１１が上述のように形成されていることによって、使用者は、例えば、右手の手の平で矩形状部分１４（図２では紙面裏側）に接し、親指の付け根部分で矩形状部分の側面である細長面１ａに接し、人差し指、中指、薬指及び小指の４本の指で最も長い側面1ｂを把持しつつ、親指によってスイッチ２２を効果的に操作することができる。左手で使用する場合には、右手で操作する場合と本体１１の上下を逆にして、左手の手の平で矩形状部分１４（図２では紙面裏側）に接し、親指の付け根部分で最も長い側面1ｂに接し、中指、薬指及び小指の３本の指で細長面１ａに接し、人差し指によってスイッチ２２を効果的に操作することができる。ここで、本考案の考案者は、上記の角度θ１が所定の角度であり、かつ、スイッチ２２とプローブ２のケーブル４の根元部８とが近接していることが、人間の手の構造を踏まえた人間工学的観点から、最適であることを見出した。
【００２１】
また、表示部４０が矩形状部分１４の主面に形成されているのは、ＴＦＴ液晶表示装置が矩形の場合、台形状部分１２においては斜辺が存在することによって、十分な面積を確保できないからである。操作の効率性の観点から台形状部分１２の存在は好適であり、表示部４０のために十分な面積を確保するために矩形状部分１４の存在もまた好適である。この双方の技術的要求を満たすために、装置本体１は、上述のように形成されている。
【００２２】
上述のように、本体１１は、細長薄板形状であり、かつ、台形状部分１２と矩形状部分１４とで形成されている。表示部４０が矩形状部分１４に配置されている。そして、スイッチ２２の突出方向及びケーブル４の根元部８の突出方向が、細長薄板形状の主面の面内方向と交わらない方向であることが、全体として、本体１１の大きさを非常に小さくすることを実現しており、例えば、ユーザのシャツの胸ポケットにすら入れて、日常的に携帯することができる。なお、プローブ２及びケーブル４を取り外し可能に形成すれば、携帯は一層容易になる。
【００２３】
本考案の考案者は、試行錯誤の結果、日常的な携帯が容易であり、かつ、人間工学的観点から操作が容易であり、かつ、画像確認も容易である構成として、このような撮影装置の構成に到達した。以下、本体１１の内部構造について、簡略に説明する。
【００２４】
図３〜図５は、本体１１の内部構造を示す概略図である。本体１１の内部には、本体１１の外形と略相似形の基板２０が配置されており、各種の素子や部品が接続されている。主な素子及び部品は、スイッチ２２、水晶発振器２４、ビデオデコーダ２６、マイクロプロセッサ（ＣＰＵ）２８、コネクタ３０、フレキシブル配線３２、リチウム電池３６、ＴＦＴ液晶表示装置４０、ＵＳＢ端子４２及び外部端子４４である。フレキシブル配線３２によって、コネクタ３２とＴＦＴ液晶表示装置４０が接続されている。ＵＳＢ端子４２はリチウム電池３６の充電用である。外部端子４４は、外部のモニターや記録装置への接続用である。なお、図５では、フレキシブル配線３２の図示を省略している。
【００２５】
図５に示すように、リチウム電池３６と液晶表示装置４０は、基板２０の異なる主面に配置されている。リチウム電池３６は、コネクタ３０、マイクロプロセッサ２８の上面に配置されており、接着テープ５０によって固定されている。内部構造の全体の高さｈ１は約１２．５ｍｍである。そして、基板２０の厚さは約１ｍｍ、液晶表示装置４０の厚さは約２．５ｍｍ、そして、基板表面からリチウム電池３６の上面までの高さは約９ｍｍである。図５に示すように、水晶発振器２４やスイッチ２２、ケーブル４の根本部分８の高さは、各種素子や部品の中でも高いことに着目し、リチウム電池３６は、それらの位置とは重複しない位置に配置している。さらに、各部品の配置として、矩形状部分１４に対応する基板２０の部分に、リチウム電池３６、コネクタ３０、マイクロプロセッサ２８が配置されるようになっている。このように、本体１１の全体形状及びそれと略相似形状の基板４０の形状との関係で、部品や素子の配置を工夫することによって、表示部の面積を十分にとると当時に、内部構造全体の高さを最低限度にしている。内部構造全体の高さを最低限度にすることによって、本体１１の高さを低く抑え、ユーザの胸ポケットにすら格納可能なサイズを実現している。
【００２６】
図６は、本体１１の機能ブロックを示す概略図である。なお、図６は、機能ブロックを示すものであるから、図３〜５で説明した部品や素子と、必ずしも一対一で対応するものではない。図６に示すように、本体１１は、プローブ２、デコーダ２６、Ａ／Ｄ変換器５２、メモリ５６、Ｄ／Ａ変換器５８、エンコーダ６０、ＴＦＴ液晶表示装置４０、ＣＰＵ２８及びメモリ制御部２８ａで構成される。プローブ２で取得された画像データが、デコーダ２６、Ａ／Ｄ変換器５２、メモリ５６、Ｄ／Ａ変換器５８、エンコーダ６０、ＣＰＵ２８及びメモリ制御部２８ａによって処理されて、ＴＦＴ液晶表示装置４０に表示される。
【００２７】
なお、本考案の撮影装置は、上記実施例の形態に限らず、本考案の要旨を逸脱しない範囲内において種々変更を加えることができる。例えば、本体１１の内部に記録装置を配置し、プローブ２で取得した画像データを記録するようにしてもよい。また、プローブ２と本体１１をケーブルで接続するのではなくて、プローブ２からの本体１１への画像データの伝送を無線で行うようにしてもよい。プローブ２と本体１１との接続を無線で行う場合には、本考案の接続手段としての無線送受信装置は本体１１の先端側の側面部から必ずしも突出するわけではなく、「接続手段の突出方向」は「本体側に配置される接続手段が無線信号を受信する方向」あるいは「本体側に配置される接続手段が無線信号を受信する中心的な方向」ということになる。
【符号の説明】
【００２８】
１  撮影装置
２  プローブ
４  ケーブル
６  プローブ先端部分
８  ケーブル根元部分
１１  撮影装置本体
１２  台形状部分
１４  矩形状部分
２０  基板
２２  スイッチ
２４  水晶発振器
２６  ビデオデコーダ
２８  マイクロプロセッサ（ＣＰＵ）
３０  コネクタ
３２  フレキシブル配線
３６  リチウム電池
４０  ＴＦＴ液晶表示装置
４２  ＵＳＢ端子
４４  外部端子
５０  接着テープ
【図１】
0003200668.tif 000003
【図２】
0003200668.tif 000004
【図３】
0003200668.tif 000005
【図４】
0003200668.tif 000006
【図５】
0003200668.tif 000007
【図６】
0003200668.tif 000008